(57)【要約】【課題】温度変化による投射画像の劣化をより確実に補正できる投射レンズユニットを提供する。【解決手段】投射レンズユニット１００に、複数のレンズ２と、複数のレンズ２を保持し、投射レンズユニット１００の光軸に沿って可動可能に備えられた可動鏡筒４と、投射レンズユニット１００の筐体１の光軸と同じ高さから投射レンズユニット１００の高さ方向に突出するように設けられた、温度変化により伸縮可能なダンパー６と、光軸を中心に回動可能に設けられ、且つ、ダンパー６の上端に当接するレバー７と、を備え、可動鏡筒４とレバー７とは、レバー７が光軸を中心に回動することによって可動鏡筒４が光軸に沿って移動可能なように、備えられており、温度変化によってダンパー６が伸縮することにより、レバー７が光軸を中心に回動し、可動鏡筒４が光軸に沿って移動する。【選択図】図３
2015114608.tif 000002
【特許請求の範囲】
【請求項１】
画像表示素子上に表示された画像をスクリーンに投射する投射レンズユニットであって、
複数のレンズと、
前記レンズを保持し、前記投射レンズユニットの光軸に沿って可動可能に備えられた可動鏡筒と、
前記投射レンズユニットの筐体の前記光軸と同じ高さから前記投射レンズユニットの高さ方向に突出するように設けられた、温度変化により伸縮可能なダンパーと、
前記光軸を中心に回動可能に設けられ、且つ、前記ダンパーの上端に当接するレバーと、
を備え、
前記可動鏡筒と前記レバーとは、前記レバーが前記光軸を中心に回動することによって前記可動鏡筒が前記光軸に沿って移動可能なように、備えられており、
温度変化によって前記ダンパーが伸縮することにより、前記レバーが前記光軸を中心に回動し、前記可動鏡筒が前記光軸に沿って移動する、投射レンズユニット。
【請求項２】
前記ダンパーの上端に前記レバーを押圧する押圧部材を備える、請求項１に記載の投射レンズユニット。
【請求項３】
前記ダンパーは、樹脂により形成されている、請求項１又は２に記載の投射レンズユニット。
【請求項４】
前記ダンパーは、空気ダンパーである、請求項１又は２に記載の投射レンズユニット。
【請求項５】
前記投射レンズユニットの筐体に固定された固定鏡筒を備え、
前記可動鏡筒は、前記固定鏡筒側の端部に螺合部を備え、
前記固定鏡筒は、前記可動鏡筒側の端部に、前記可動鏡筒の前記螺合部と螺接する被螺合部を備え、
前記可動鏡筒は、前記レバーと連結されており、前記レバーとともに前記光軸を中心に回動することにより、前記光軸に沿って移動する、請求項１乃至４の何れか一項に記載の投射レンズユニット。
【請求項６】
前記レバーと連結された円筒カムを備え、
前記可動鏡筒は、前記円筒カムに当接する第１突起部を備え、
前記レバーと前記円筒カムが前記光軸を中心に回動することにより、前記可動鏡筒は前記光軸に沿って移動する、請求項１乃至４の何れか一項に記載の投射レンズユニット。
【請求項７】
前記投射レンズユニットの筐体に固定されるとともに、外周面から突出する第２突起部を備える固定鏡筒と、
前記可動鏡筒の第１突起部と前記固定鏡筒の第２突起部とを連結する弾性部材と、
を備え、
前記弾性部材は、前記第１突起部を前記円筒カムに当接させるとともに、前記可動鏡筒を前記固定鏡筒側に付勢する、請求項６に記載の投射レンズユニット。
【請求項８】
前記投射レンズユニットの温度が変化した場合のＭＴＦ値が、当該投射レンズユニットのＭＴＦ値の設計値に近い値となるように、前記可動鏡筒の前記光軸に沿う移動距離を決定する、請求項１乃至７の何れか一項に記載の投射レンズユニット。
【請求項９】
前記投射レンズユニットの温度が変化した場合に、前記投射レンズユニットによって前記スクリーンに投射した画像の画面サイズの変化が良好な範囲となるように、前記可動鏡筒の前記光軸に沿う移動距離を決定する、請求項８に記載の投射レンズユニット。
【発明の詳細な説明】
【技術分野】
【０００１】
本発明は投射レンズユニットに関する。
【背景技術】
【０００２】
プロジェクタ等の投射装置に用いられる投射レンズユニットにおいて、レンズやレンズ鏡筒が光を吸収したり、光源や回路基板が発熱したりすることによって、レンズ及びレンズ鏡筒の温度が上昇する。これにより、レンズ及びレンズ鏡筒が膨張し、投射レンズユニットのフォーカスや解像度及びスクリーン上における画面サイズが変化してしまうという問題がある。
【０００３】
そのため、特許文献１、２、３には、レンズ鏡筒に温度変化により伸縮可能な伸縮部材を設けて、温度変化によって伸縮部材が伸縮することにより可動鏡筒を移動させ、温度変化による焦点位置の変化を補正する技術が記載されている。
【先行技術文献】
【特許文献】
【０００４】
【特許文献１】特開２００８−０２６８６４号公報
【特許文献２】特開平０５−２４９３５９号公報
【特許文献３】特開２００３−１７２８６４号公報
【発明の概要】
【発明が解決しようとする課題】
【０００５】
しかしながら、特許文献１、２、３では、伸縮部材以外のレンズ鏡筒の部分の温度変化による形状変化によって、伸縮部材の基準位置がずれてしまうことを考慮していない。そのため、伸縮部材の基準位置がずれてしまって可動鏡筒を適切な位置に移動させることができず、温度変化による焦点位置の変化を補正できない虞がある。
【課題を解決するための手段】
【０００６】
第１の形態に係る投射レンズユニットは、画像表示素子上に表示された画像をスクリーンに投射する。また、前記投射レンズユニットは、複数のレンズと、前記レンズを保持し、前記投射レンズユニットの光軸に沿って可動可能に備えられた可動鏡筒と、前記投射レンズユニットの筐体の前記光軸と同じ高さから前記投射レンズユニットの高さ方向に突出するように設けられた、温度変化により伸縮可能なダンパーと、前記光軸を中心に回動可能に設けられ、且つ、前記ダンパーの上端に当接するレバーと、を備える。また、前記可動鏡筒と前記レバーとは、前記レバーが前記光軸を中心に回動することによって前記可動鏡筒が前記光軸に沿って移動可能なように、備えられている。そして、温度変化によって前記ダンパーが伸縮することにより、前記レバーが前記光軸を中心に回動し、前記可動鏡筒が前記光軸に沿って移動する。
【０００７】
第１の形態に係る投射レンズユニットによれば、温度変化によって前記ダンパーが伸縮することにより、前記可動鏡筒が前記光軸に沿って移動することできる。これにより、温度変化による焦点位置の変化を補正することができる。特に、前記ダンパーは、前記投射レンズユニットの筐体の前記光軸と同じ高さから前記投射レンズユニットの高さ方向に突出している。換言すれば、前記ダンパーは、前記投射レンズユニットの各部品が温度変化によって伸縮する際の基準となる面上から突出している。そのため、前記投射レンズユニットの各部品の温度変化による伸縮によって、前記ダンパーの基準位置がずれることがない。これにより、温度変化による投射画像の劣化をより確実に補正できる投射レンズユニットを提供することができる。
【発明の効果】
【０００８】
本発明により、温度変化による投射画像の劣化をより確実に補正できる投射レンズユニットを提供することができる。
【図面の簡単な説明】
【０００９】
【図１】本発明の実施の形態１に係る投射レンズユニットを示す側面断面図である。
【図２】本発明の実施の形態１に係る投射レンズユニットを示す側面図である。
【図３】本発明の実施の形態１に係る投射レンズユニットを示す斜視図である。
【図４】本発明の実施の形態１に係る投射レンズユニットを示す正面図である。
【図５】本発明の実施の形態１に係る投射レンズユニットのＭＴＦ値の設計値を示すグラフである。
【図６】比較例に係る投射レンズユニットにおいて、温度が変化した場合のＭＴＦ値を示すグラフである。
【図７】本発明の実施の形態１に係る投射レンズユニットにおいて、温度が変化した場合のＭＴＦ値を示すグラフである。
【図８】本発明の実施の形態２に係る投射レンズユニットを示す斜視図である。
【図９】本発明の実施の形態２に係る投射レンズユニットを示す上面図である。
【図１０】本発明の実施の形態２に係る投射レンズユニットを示す側面図である。
【図１１】本発明の実施の形態２に係る投射レンズユニットを示す正面図である。
【発明を実施するための形態】
【００１０】
以下、本発明を適用可能な実施の形態について説明する。なお、本発明は、下記の実施の形態に限定されるものではない。
実施の形態１．
図１に、本発明の実施の形態１に係る投射レンズユニット１００の側面断面図を示す。また、図２に、投射レンズユニット１００の側面図を示す。また、図３に、投射レンズユニット１００の斜視図を示す。図４に投射レンズユニット１００の正面図を示す。図１〜図４において、投射レンズユニット１００の左右方向をＸ軸とし、投射レンズユニット１００の上下方向をＹ軸とし、投射レンズユニット１００の光軸方向をＺ軸とする。
図１〜図４に示すように、投射レンズユニット１００は、筐体１、複数のレンズ２、ミラー３、可動鏡筒４、固定鏡筒５、ダンパー６、レバー７、押圧バネ（押圧部材）８等を備える。
【００１１】
また、投射レンズユニット１００は、画像表示素子（図示省略）上に表示された画像をスクリーン（図示省略）に投射する。具体的には、投射レンズユニット１００は、複数のレンズ２を備える第１光学系１０１と、ミラー３を備える第２光学系１０２と、を備える。そして、第１光学系１０１は、当該第１光学系１０１と第２光学系１０２との間に、画像表示素子に表示された画像と共役な中間像を結像する。また、第２光学系１０２は、当該中間像を拡大するように出射する。
また、第２光学系１０２のミラー３は強い屈折力を有し、これにより、投射レンズユニット１００は、第１光学系１０１によって結像された中間像を極めて短い投射距離で拡大投射することができる。
【００１２】
投射レンズユニット１００において、画像表示素子側（物体側）からミラー３側に向かって、可動鏡筒４、固定鏡筒５の順に配置されている。また、筐体１は、可動鏡筒４及び固定鏡筒５を下側から支持している。
また、固定鏡筒５は、投射レンズユニット１００の筐体１に固定されている。具体的には、固定鏡筒５は、ネジＳ１、Ｓ２により、筐体１に固定されている。また、固定鏡筒５の可動鏡筒４側の内周面は、可動鏡筒４の外周面に当接している。
【００１３】
可動鏡筒４は、投射レンズユニット１００の光軸に沿って可動可能に備えられている。具体的には、可動鏡筒４は、固定鏡筒５側の端部に、ヘリコイド（螺合部）４１を備えている。また、固定鏡筒５は、可動鏡筒４側の端部に、可動鏡筒４のヘリコイド４１に螺接するヘリコイド（被螺合部）５１を備えている。
そして、可動鏡筒４が光軸を中心に回動することにより、可動鏡筒４は、固定鏡筒５に対して光軸方向に沿って前後に移動する。換言すれば、可動鏡筒４と固定鏡筒５とはリードスクリュー機構によって、連結されている。
なお、ヘリコイド４１及びヘリコイド５１のピッチを調整することにより、可動鏡筒４の光軸に沿う移動距離を調整することができる。すなわち、ヘリコイド４１及びヘリコイド５１のピッチは、所望する、可動鏡筒４の当該移動距離によって決定される。
【００１４】
ダンパー６は、周囲又はダンパー６自身の温度変化により、伸縮可能となっている。より具体的には、本実施の形態１に係るダンパー６は、樹脂等の温度変化により伸縮可能な材料から形成された棒状の部材である。なお、ダンパー６は、空気ダンパーであってもよい。なお、ダンパー６が樹脂により形成される場合、投射レンズユニット１００の他の部品（可動鏡筒４、固定鏡筒５、筐体１等）とは線膨張率が異なる材質で形成されることが好ましい。
【００１５】
また、ダンパー６は、例えば、図３、図４に示すように、筐体１の投射レンズユニット１００の光軸と同じ高さから、投射レンズユニット１００の高さ方向に突出するように設けられている。換言すれば、筐体１の上面は、投射レンズユニット１００の光軸と同じ高さとなっている。また、ダンパー６は、筐体１の上面から、投射レンズユニット１００の高さ方向（Ｙ軸方向）に沿って突出している。
なお、ダンパー６の高さ及び材質を調整することにより、可動鏡筒４の光軸に沿う移動距離を調整することができる。すなわち、ダンパー６の高さ及び材質は、所望する、可動鏡筒４の当該移動距離によって決定される。
【００１６】
レバー７は、円筒部７１と、円筒部７１の外周面から延出する板状部７２と、を備える。また、板状部７２の端部には、貫通穴７３が形成されている。また、レバー７の円筒部７１の内周面は、可動鏡筒４の外周面に当接している。
また、レバー７は、可動鏡筒４に固定されている。具体的には、円筒部７１がネジＳ３により、可動鏡筒４に固定されている。これにより、レバー７が、投射レンズユニット１００の光軸を中心に回動することにより、可動鏡筒４が投射レンズユニット１００の光軸を中心に回動しながら、当該光軸方向に沿って前後に移動する。換言すれば、可動鏡筒４とレバー７とは、レバー７が当該光軸を中心に回動することによって可動鏡筒４が当該光軸に沿って移動可能なように、連結されている。
【００１７】
また、押圧バネ８は、ダンパー６の上端にレバー７を押圧している。具体的には、押圧バネ８の一方の端部は筐体１にネジＳ４により固定されており、押圧バネ８の他方の端部はレバー７の貫通穴７３に係止されている。これにより、押圧バネ８は、レバー７の板状部７２をダンパー６の上端に押圧している。
【００１８】
そして、温度変化によりダンパー６が伸縮すると、レバー７が投射レンズユニット１００の光軸を中心に回動し、レバー７の回動に伴って、可動鏡筒４が当該光軸を中心に回動し、可動鏡筒４が当該光軸に沿って移動する。これにより、温度変化による焦点位置の変化を補正することができる。
また、ダンパー６は、投射レンズユニット１００の筐体１の当該光軸と同じ高さから投射レンズユニット１００の高さ方向に突出している。換言すれば、ダンパー６は、投射レンズユニット１００の各部品が温度変化によって伸縮する際の基準となる面上から突出している。そのため、投射レンズユニット１００の各部品の温度変化による伸縮によって、ダンパー６の基準位置がずれることがない。これにより、温度変化による投射画像の劣化をより確実に補正できる投射レンズユニット１００を提供することができる。
【００１９】
次に、図５〜図７を参照しながら、投射レンズユニット１００のＭＴＦ（Ｍｏｄｕｌａｔｉｏｎ  Ｔｒａｎｓｆｅｒ  Ｆｕｎｃｔｉｏｎ）値について説明する。ここで、ＭＴＦ値とは、投射レンズユニット１００の結像性能を表す。具体的には、ＭＴＦ値は、投射レンズユニット１００が、画像表示素子上に表示された画像が持つコントラストをどの程度忠実に再現してスクリーンに投射できるかを空間周波数特性として表現している。図５〜図７の縦軸は、投射レンズユニット１００がスクリーンに投射した像の投射像のコントラストを示し、図５〜図７の横軸は、スクリーンの中心位置からの距離を示している。
【００２０】
また、図５は、投射レンズユニット１００のＭＴＦ値の設計値を示すグラフである。また、図６は、比較例に係る投射レンズユニットにおいて、温度が設計基準温度から４５℃上昇した場合のＭＴＦ値を示すグラフである。また、図７は、投射レンズユニット１００において、温度が設計基準温度から４５℃上昇した場合のＭＴＦ値を示すグラフである。
なお、比較例に係る投射レンズユニットは、本実施の形態１に係る投射レンズユニット１００からダンパー６、レバー７、押圧バネ８を除いたものである。また、ＭＴＦ値の設計値とは、温度が基準温度から変化していない場合における投射レンズユニット１００のＭＴＦ値を意味する。
【００２１】
図５、図７に示すように、本実施の形態１に係る投射レンズユニット１００では、温度が基準温度から変化しても、ＭＴＦ値は設計値から大きくずれることがなく、良好な解像度を得られることが分かる。また、本実施の形態１に係る投射レンズユニット１００では、温度が基準温度から変化しても、スクリーンに投射された投射像のサイズ（以下、画面サイズと称する。）の設計値からの変化は−２．６ｍｍであった。画面サイズの設計値からの変化は±３．０ｍｍより小さいことが望ましい。従って、本実施の形態１に係る投射レンズユニット１００では、温度が基準温度から変化しても、画面サイズの変化を良好な範囲に抑えることができている。
【００２２】
一方、図５、図６に示すように、比較例に係る投射レンズユニットでは、温度が基準温度から変化すると、ＭＴＦ値が設計値から大きくずれており、解像度が劣化していることが分かる。また、比較例に係る投射レンズユニットでは、温度が基準温度から変化した場合、画面サイズの設計値からの変化は−３．０ｍｍであった。換言すれば、比較例に係る投射レンズユニットでは、温度が基準温度から変化した場合、画面サイズの変化を良好な範囲に抑えることができていない。
【００２３】
なお、可動鏡筒４の光軸に沿う移動距離は、投射レンズユニット１００の温度が変化した場合のＭＴＦ値が、当該投射レンズユニット１００のＭＴＦ値の設計値に近い値となるように、決定される。
さらに、可動鏡筒４の光軸に沿う移動距離は、投射レンズユニット１００の温度が変化した場合に、投射レンズユニット１００によってスクリーンに投射した画像の画面サイズの変化が良好な範囲となるように、決定されることが好ましい。より具体的には、解像度の劣化が許容できる範囲で、当該画面サイズの変化ができるだけ小さくなるように、可動鏡筒４の光軸に沿う移動距離が決定されることが好ましい。
【００２４】
以上に説明した本発明の実施の形態１に係る投射レンズユニット１００によれば、温度変化によってダンパー６が伸縮することにより、可動鏡筒４が投射レンズユニット１００の光軸に沿って移動することできる。これにより、温度変化による焦点位置の変化を補正することができる。特に、ダンパー６は、筐体１の当該光軸と同じ高さから投射レンズユニット１００の高さ方向に突出している。換言すれば、ダンパー６は、投射レンズユニット１００の各部品が温度変化によって伸縮する際の基準となる面上から突出している。そのため、投射レンズユニット１００の各部品の温度変化による伸縮によって、ダンパー６の基準位置がずれることがない。これにより、温度変化による投射画像の劣化をより確実に補正できる投射レンズユニット１００を提供することができる。
【００２５】
また、投射レンズユニット１００は、ダンパー６の上端にレバー７を押圧する押圧バネ８を備える。これにより、ダンパー６の伸縮を確実にレバー７の回動に変換することができる。
【００２６】
また、ダンパー６は、樹脂により形成されている。また、ダンパー６は、空気ダンパーであってもよい。これにより、ダンパー６を温度変化に伴って伸縮させることができる。
【００２７】
また、投射レンズユニット１００は、筐体１に固定された固定鏡筒５を備える。また、可動鏡筒４は、固定鏡筒５側の端部にヘリコイド４１を備える。また、固定鏡筒５は、可動鏡筒４側の端部に、可動鏡筒４のヘリコイド４１と螺接するヘリコイド５１を備える。そして、可動鏡筒４は、レバー７とともに投射レンズユニット１００の光軸を中心に回動することにより、当該光軸に沿って移動する。
これにより、ダンパー６の伸縮を、確実に可動鏡筒４の当該光軸に沿う移動に変換することができる。
【００２８】
また、可動鏡筒４の光軸に沿う移動距離は、投射レンズユニット１００の温度が変化した場合のＭＴＦ値が、当該投射レンズユニット１００のＭＴＦ値の設計値に近い値となるように、決定される。
これにより、可動鏡筒４を光軸に沿って移動させ、焦点位置を補正することにより、温度変化による解像度の劣化を補正することができる。
また、可動鏡筒４の光軸に沿う移動距離は、投射レンズユニット１００の温度が変化した場合に、投射レンズユニット１００によってスクリーンに投射した画像の画面サイズの変化が良好な範囲となるように、決定される。より具体的には、解像度の劣化が許容できる範囲で、当該画面サイズの変化ができるだけ小さくなるように、可動鏡筒４の光軸に沿う移動距離が決定される。
これにより、可動鏡筒４を光軸に沿って移動させ、焦点位置を補正することにより、画面サイズの変化を良好な範囲にすることができる。
【００２９】
実施の形態２．
図８に、本発明の実施の形態２に係る投射レンズユニット２００の斜視図を示す。また、図９に、投射レンズユニット２００の上面図を示す。また、図１０に、投射レンズユニット２００の側面図を示す。図１１に投射レンズユニット２００の正面図を示す。図８〜図１１において、投射レンズユニット２００の左右方向をＸ軸とし、投射レンズユニット２００の上下方向をＹ軸とし、投射レンズユニット２００の光軸方向をＺ軸とする。
図８〜図１１に示すように、投射レンズユニット２００は、筐体１１、可動鏡筒４０、固定鏡筒５０、レバー７０、円筒カム９、弾性部材１０の構成のみが、実施の形態１に係る投射レンズユニット１００とは異なるため、同一の構成については同一の符号を付すとともに、その説明を省略する。
【００３０】
筐体１１は、可動鏡筒４０の回転防止部材４０２（後述）を挿通可能なスリット１１１を備えている。筐体１１は、スリット１１１を備える点のみが、実施の形態１にかかる筐体１と異なるため、その他の説明は省略する。
【００３１】
可動鏡筒４０は、投射レンズユニット２００の光軸に沿って可動可能に備えられている。また、可動鏡筒４０は、当該可動鏡筒４０の外周面から突出する第１突起部４０１を備える。また、当該第１突起部４０１は、円筒カム９に当接している。
また、可動鏡筒４０は、筐体１１のスリット１１１に挿通可能な回転防止部材４０２を備える。回転防止部材４０２は、可動鏡筒４０の外周面から突出する突起である。また、回転防止部材４０２は、光軸に対して第１突起部４０１と反対側の位置に設けられている。なお、回転防止部材４０２の形状は、スリット１１１に挿通可能な形状であればよく、本実施の形態２に限定されるものではない。また、スリット１１１及び回転防止部材４０２が設けられる位置も、本実施の形態２に限定されるものではない。
【００３２】
固定鏡筒５０は、ネジＳ１、Ｓ２により、投射レンズユニット２００の筐体１に固定されている。また、固定鏡筒５０の可動鏡筒４０側の内周面は、可動鏡筒４０の外周面と当接している。
また、固定鏡筒５０は、当該固定鏡筒５０の外周面から突出する第２突起部５０１を備える。
【００３３】
レバー７０は、円筒部７０１と、円筒部７０１の外周面から延出する板状部７０２と、を備える。また、板状部７０２の端部には、貫通穴７０３が形成されている。また、レバー７０の円筒部７０１の内周面は、円筒カム９の外周面に当接している。
また、レバー７０１は、円筒カム９に固定されている。具体的には、円筒部７０１がネジＳ５により、円筒カム９に固定されている。これにより、温度変化によってダンパー６が伸縮することにより、レバー７０が投射レンズユニット２００の光軸を中心に回動し、円筒カム９が投射レンズユニット２００の光軸を中心に回動する。そして、円筒カム９に当接する可動鏡筒４０は、当該光軸方向に沿って前後に移動する。換言すれば、可動鏡筒４０とレバー７０とは、レバー７０が当該光軸を中心に回動することによって可動鏡筒４０が当該光軸に沿って移動可能なように、備えられている。なお、円筒カム９が投射レンズユニット２００の光軸を中心に回動しても、可動鏡筒４０の回転防止部材４０２が筐体１１のスリット１１１に挿通されているため、可動鏡筒４０は回動せず、当該光軸に沿って移動する。
【００３４】
円筒カム９は、当該円筒カム９の内周面が可動鏡筒４０の外周面に当接するように設けられている。また、円筒カム９は、可動鏡筒４０の第１突起部４０１と当接する当接部９１を備える。具体的には、円筒カム９は、円筒の一部が切り欠かれた形状を有し、当該円筒の一部が切り欠かれることにより形成された延出部の斜面部が当接部９１となっている。
なお、円筒カム９の当接部９１の形状を調整することにより、可動鏡筒４０の光軸に沿う移動距離を調整することができる。すなわち、円筒カム９の当接部９１の形状は、所望する、可動鏡筒４０の当該移動距離によって決定される。
【００３５】
弾性部材１０は、例えば、弾性ばねにより形成されている。そして、弾性部材１０の一方の端部は可動鏡筒４０の第１突起部４０１に係止されており、弾性部材１０の他方の端部は固定鏡筒５０の第２突起部５０１に係止されている。これにより、弾性部材１０は、可動鏡筒４０の第１突起部４０１を円筒カム９の当接部９１に当接させるとともに、可動鏡筒４０を固定鏡筒５０側に付勢する。そのため、円筒カム９が投射レンズユニット２００の光軸を中心に回動することによって、可動鏡筒４０は、当該光軸に沿って移動する。換言すれば、弾性部材１０は、円筒カム９の回動を可動鏡筒４０の光軸に沿った移動に変換する。
【００３６】
そして、温度変化によりダンパー６が伸縮すると、レバー７０が投射レンズユニット２００の光軸を中心に回動し、レバー７０の回動に伴って、円筒カム９が当該光軸を中心に回動し、可動鏡筒４０が当該光軸に沿って移動する。これにより、温度変化による焦点位置の変化を補正することができる。
【００３７】
以上に説明した本発明の実施の形態２に係る投射レンズユニット２００によれば、本発明の実施の形態１に係る投射レンズユニット１００と同様の効果を得ることができる。
特に、円筒カム９及び弾性部材１０を用いて、レバー７０の回動を介して、ダンパー６の伸縮を可動鏡筒４０の光軸に沿う移動に変換する。そのため、可動鏡筒４０の固定鏡筒５０側の端部にヘリコイドを設ける必要がない。
【００３８】
以上、本発明者によってなされた発明を実施の形態に基づき具体的に説明したが、本発明は上述の実施の形態に限定されるものではなく、趣旨を逸脱しない範囲において種々の変更が可能であることはいうまでもない。例えば、ダンパー６を設ける位置を筐体１の反対側（図３に向かって左側（Ｘ軸プラス側））の上面とすることにより、温度変化に対する可動鏡筒４の光軸に沿う移動の方向を逆転させることができる。
【符号の説明】
【００３９】
１、１１  筐体
１１１  スリット
２  レンズ
３  ミラー
４、４０  可動鏡筒
４１  ヘリコイド（螺合部）
４０１  第１突起部
４０２  回転防止部材
５、５０  固定鏡筒
５１  ヘリコイド（被螺合部）
５０１  第２突起部
６  ダンパー
７、７０  レバー
７１、７０１  円筒部
７２、７０２  板状部
７３、７０３  貫通穴
８  押圧ばね（押圧部材）
９  円筒カム
９１  当接部
１０  弾性部材
１００、２００  投射レンズユニット
【図１】
2015114608.tif 000003
【図２】
2015114608.tif 000004
【図３】
2015114608.tif 000005
【図４】
2015114608.tif 000006
【図５】
2015114608.tif 000007
【図６】
2015114608.tif 000008
【図７】
2015114608.tif 000009
【図８】
2015114608.tif 000010
【図９】
2015114608.tif 000011
【図１０】
2015114608.tif 000012
【図１１】
2015114608.tif 000013